(57)【要約】【課題】従来技術に比べて全高を低く抑えることができ、且つ強力な破砕機にも適用可能な破砕装置を開発することを目的とする。【解決手段】破砕装置１は、架台１１上に、破砕機５と、一時貯留部４０を成す搬入装置６及び搬出装置７等が搭載されたものである。破砕機５の投入口３０上には投入口カバー４３が被さり、前方に向かって開口している。投入口カバー４３は、破砕機５の投入口３０よりも前後方向に長い。投入口カバー４３は、投入口３０の上部に位置する投入口領域１００と、投入口３０の上部よりも一時貯留部４０側に突出する突出領域１０１を有する。投入口カバー４３の開口１０３に対向する位置に、一時貯留部４０の前壁（対向壁）４７がある。前壁４７の高さは、投入口カバー４３の開口１０３よりも僅かに高い。【選択図】  図１
2014147905.tif 000002
【特許請求の範囲】
【請求項１】
破砕機と、破砕機の横に設けられた一時貯留部と、一時貯留部の底部に設けられた搬送装置とを有し、前記破砕機は投入口と排出口が設けられ内部に空間が存在する本体部と、本体部内に設けられた破砕機構によって構成され、一時貯留部に投入された被破砕物を搬送装置で水平方向成分を含む方向に搬送して破砕機の投入口から投入し、破砕機構で破砕して排出口から排出する破砕装置において、
破砕機の投入口を覆う投入口カバーが設けられ、投入口カバーは天井面が覆われていて一時貯留部側が開口し、投入口カバーの天井面には破砕機の投入口の上部に位置する投入口領域と投入口の上部よりも一時貯留部側に突出する突出領域があって投入口カバーの開口端は破砕機の投入口から一時貯留部側に外れた位置にあり、
投入口カバーの開口に対向する位置に、対向壁が設けられ、当該対向壁の高さは、投入口カバーの突出領域の高さ以上の高さであることを特徴とする破砕装置。
【請求項２】
破砕機と、破砕機の横に設けられた一時貯留部と、一時貯留部の底部に設けられた搬送装置とを有し、前記破砕機は投入口と排出口が設けられ内部に空間が存在する本体部と、本体部内に設けられた破砕機構によって構成され、一時貯留部に投入された被破砕物を搬送装置で水平方向成分を含む方向に搬送して破砕機の投入口から投入し、破砕機構で破砕して排出口から排出する破砕装置において、
破砕機の投入口を覆う投入口カバーが設けられ、投入口カバーは天井面が覆われていて一時貯留部側が開口し、投入口カバーの天井面には破砕機の投入口の上部に位置する投入口領域と投入口の上部よりも一時貯留部側に突出する突出領域があって投入口カバーの開口端は破砕機の投入口から一時貯留部側に外れた位置にあり、
投入口カバーの開口に対向する位置に、対向壁が設けられ、当該対向壁の高さは、前記突出領域の上縁を当該上縁に沿って仮想的に延長した線と交差することを特徴とする破砕装置。
【請求項３】
一時貯留部は、底面と、間隔を置いて設置された２側面と、投入口カバーの開口に対向する対向面とを有していて上面側が開放され、投入口カバーの開口端の位置における前記２側面間の間隔よりも、対向面側に離れた位置における前記２側面間の間隔の方が広いことを特徴とする請求項１又は２に記載の破砕装置。
【請求項４】
一時貯留部の対向面によって前記対向壁が構成され、対向壁の高さは、前記２側面の上縁よりも高いことを特徴とする請求項１乃至３のいずれかに記載の破砕装置。
【請求項５】
牽引又は自走可能な台車を有し、当該台車上に、破砕機と、一時貯留部とが搭載されていることを特徴とする請求項１乃至４のいずれかに記載の破砕装置。
【請求項６】
台車は、破砕機と、一時貯留部とを設置する架台を有し、当該架台は車軸の上にあって高さの高い高領域と、車軸の間であって高さの低い低領域があり、破砕機は、低領域に設置され、一時貯留部は高領域に設置されていることを特徴とする請求項１乃至５のいずれかに記載の破砕装置。
【発明の詳細な説明】
【技術分野】
【０００１】
本発明は、産業廃棄物等の廃棄物や瓦礫等を破砕する破砕装置に関するものである。本発明の破砕装置の構造は、移動式の装置としても、固定式の装置としても利用することができる。
【背景技術】
【０００２】
産業廃棄物や一般廃棄物を破砕する破砕装置が知られている。産業廃棄物等は、破砕装置で破砕されて嵩が下げられ、埋め立てられたり、路盤材として活用される。
産業廃棄物や一般廃棄物には、家庭用ガスコンロのボンベや、スプレー、溶剤等が含まれていることがあり、破砕作業を行う際にこれらが爆発することがある。そのため破砕装置では、爆発が起きた場合の安全対策を講じる必要がある。
特許文献１に開示された破砕装置は、固定式のプラントであり、ピットの中に破砕機が配置されている。
特許文献１に開示された破砕装置は、深さの異なる２段構造のピットを有している。より詳細には、塵芥を一時的に貯留する塵芥貯留ピットと、破砕機を配置するためのより深いピットがある。
塵芥は、塵芥貯留ピットに投入され、塵芥貯留ピットの底に設けられたコンベアで破砕機の投入口に搬送される
【０００３】
特許文献１に開示された破砕装置では、破砕機の投入口に投入口カバーが設けられ、当該投入口カバーの一端は連通口と称されて塵芥貯留ピット側に開いている。特許文献１に開示された破砕装置では連通口に、遮蔽板が設けられている。特許文献１の破砕装置で採用される遮蔽板は、逆止構造を持ち、塵芥貯留ピット側から破砕機方向に物が移動する方向にのみ開く。即ち特許文献１に開示された遮蔽板は、破砕機側から外側に向かう方向には開かない。
特許文献１に開示された破砕装置では、遮蔽板は破砕機側から外側に向かう方向には開かないから、破砕機内で爆発が起きて、爆風が発生しても遮蔽板は開かない。そのため塵芥貯留ピット上の作業者は安全性が確保される。
【０００４】
また特許文献２には、台車上に破砕機が搭載された構成が開示されている。特許文献２に開示された破砕装置は移動式であり、牽引車で牽引されて任意の場所に移動させることができる。
【先行技術文献】
【特許文献】
【０００５】
【特許文献１】特開昭５８−１７００２号公報
【特許文献２】実用新案登録第３０１３６３１号公報
【発明の概要】
【発明が解決しようとする課題】
【０００６】
ところで、２０１１年に東北地方太平洋沖地震（東日本大震災）が発生し、東北地方を中心として津波による甚大な被害があった。津波によって莫大な量の瓦礫が発生したが、これらの瓦礫は、未だ処理されていないのが現状である。そのため膨大な量の瓦礫を如何にして処理するかという問題がある。
【０００７】
瓦礫の処理方法としては、これを細かく破砕し、埋め立てたり、路盤材として活用する方策が考えられる。
しかしながら、津波の被害があった地域は過疎地であり、適当な破砕処理施設はない。また破砕処理施設を有する地域に、瓦礫を運搬することも容易ではない。
そこで、本発明者らは、移動式の破砕装置に注目し、破砕装置を被災地に移動させて破砕処理を行うことを考えた。
【０００８】
しかしながら、従来技術の移動式破砕装置（例えば特許文献２に開示された破砕装置）をそのまま被災地で使用することは困難であった。
その理由として、瓦礫の分別が不可能に近いという点と、瓦礫の量が膨大であるという点が挙げられる。
【０００９】
即ち一般廃棄物や産業廃棄物は、その構成物がある程度限定されており、硬度や大きさもある程度揃っていると言える。また特別に硬いものや大きな物は、予め分別して除去することもできる。
しかしながら、瓦礫は、構成物が雑多であり、例えば冷蔵庫や、自動車のドア部分といった様な、大きなものや、硬いものも含まれる。そのため破砕機は、従来の移動式破砕装置に比べて相当に強力なものでなければならない。
また瓦礫の量が膨大であるから、破砕機は、従来の移動式破砕装置に比べて相当に大型のものでなければならない。
【００１０】
さらに、強力な破砕機は、被破砕物に強力な力を加えて破砕するから、破片等が飛び散る懸念が高い。例えば、回転刃を有する破砕機であれば、被破砕物に強い遠心力が掛かるから、破砕物が相当のスピードで飛び出すことがある。
もちろん、瓦礫には、ボンベ等の爆発物が含まれている場合もあるから、爆発に対する対応も必要である。
【００１１】
ここで、安全性を確保するために、特許文献１に開示された方策を適用することが考えられる。しかしながら特許文献１に開示された構造では、遮蔽板が開いている際に爆発が起きた場合に、破砕物の飛び出しを阻止することができないという問題がある。
即ち特許文献１に開示された破砕装置は、逆止構造を持った遮蔽板を採用している。遮蔽板は、被破砕物が塵芥貯留ピット側から破砕機方向に移動する際に、被破砕物に押されて開く。ここで実際に破砕作業が行われている際には、被破砕物は塵芥貯留ピット側から破砕機方向にひっきりなしに搬送されている。そのため特許文献１に開示された破砕装置では、破砕作業が行われている際に、遮蔽板は実質的に常時開いている。
この様な理由から特許文献１に開示された破砕装置では、破砕物の飛び出しを阻止することができない場合があり、安全性が高いとは言えない。
【００１２】
そこで本発明は、上記した問題点に注目し、より安全性の高い破砕装置を開発することを目的とするものである。
【課題を解決するための手段】
【００１３】
上記した課題を解決するための請求項１に記載の発明は、破砕機と、破砕機の横に設けられた一時貯留部と、一時貯留部の底部に設けられた搬送装置とを有し、前記破砕機は投入口と排出口が設けられ内部に空間が存在する本体部と、本体部内に設けられた破砕機構によって構成され、一時貯留部に投入された被破砕物を搬送装置で水平方向成分を含む方向に搬送して破砕機の投入口から投入し、破砕機構で破砕して排出口から排出する破砕装置において、破砕機の投入口を覆う投入口カバーが設けられ、投入口カバーは天井面が覆われていて一時貯留部側が開口し、投入口カバーの天井面には破砕機の投入口の上部に位置する投入口領域と投入口の上部よりも一時貯留部側に突出する突出領域があって投入口カバーの開口端は破砕機の投入口から一時貯留部側に外れた位置にあり、
投入口カバーの開口に対向する位置に、対向壁が設けられ、当該対向壁の高さは、投入口カバーの突出領域の高さ以上の高さであることを特徴とする破砕装置である。
【００１４】
本発明の破砕装置では、破砕機の投入口を覆う投入口カバーが設けられているが、投入口カバーの天井面には破砕機の投入口の上部に位置する投入口領域と投入口の上部よりも一時貯留部側に突出する突出領域がある。即ち投入口カバーの開口端は破砕機の投入口から一時貯留部側に外れた位置にある。そのため投入口カバーは、水平方向に長い。
本体部内で爆発が発生したり、破砕物に掛かった力によって破砕物が投入口から飛び出した場合、破砕物は、投入口カバーの空間に沿って進み、投入口カバーの開口から外に飛ぶ。
ここで前記した様に投入口カバーは、水平方向に長いから、投入口カバーの内部空間が助走路的に機能し、破砕物は、投入口カバーの開口から投入口カバーの延長方向に飛ぶ。  そして本発明の破砕装置では、投入口カバーの開口に対向する位置に、対向壁が設けられているから、投入カバーの開口から飛び出した破砕物は、対向壁に衝突し、外に飛び出ることが阻止される。
ここで投入カバーの開口から飛び出した破砕物は、重力によって落下傾向となるから、投入口カバーの開口の高さよりも上を飛行することは稀である。そして本発明では、対向壁の高さを投入口カバーの突出領域の高さ以上に設定してるから、投入口カバーの開口から飛び出した破砕物が、対向壁を飛び越えることは稀であり、確実に対向壁によって補足される。そのため作業者の安全が確保される。
【００１５】
また同様の目的及び作用効果を有するもう一つの発明は、破砕機と、破砕機の横に設けられた一時貯留部と、一時貯留部の底部に設けられた搬送装置とを有し、前記破砕機は投入口と排出口が設けられ内部に空間が存在する本体部と、本体部内に設けられた破砕機構によって構成され、一時貯留部に投入された被破砕物を搬送装置で水平方向成分を含む方向に搬送して破砕機の投入口から投入し、破砕機構で破砕して排出口から排出する破砕装置において、破砕機の投入口を覆う投入口カバーが設けられ、投入口カバーは天井面が覆われていて一時貯留部側が開口し、投入口カバーの天井面には破砕機の投入口の上部に位置する投入口領域と投入口の上部よりも一時貯留部側に突出する突出領域があって投入口カバーの開口端は破砕機の投入口から一時貯留部側に外れた位置にあり、投入口カバーの開口に対向する位置に、対向壁が設けられ、当該対向壁の高さは、前記突出領域の上縁を当該上縁に沿って仮想的に延長した線と交差することを特徴とする破砕装置である。
【００１６】
本発明においても、投入口カバーは水平方向に長いから、投入口カバーの内部空間が助走路的に機能し、破砕物は、投入口カバーの開口から投入口カバーの延長方向に飛ぶ。
ここで投入カバーの開口から飛び出した破砕物は、投入口カバーの延長方向に向かって飛び、且つ重力によって落下傾向となるから、突出領域の上縁を上縁に沿って仮想的に延長した線よりも上を飛行することは稀である。そして本発明では、対向壁の高さを前記した仮想線交差する高さに設定してるから、投入カバーの開口から飛び出した破砕物が、対向壁を飛び越えることは稀であり、確実に対向壁によって補足される。そのため作業者の安全が確保される。
【００１７】
請求項３に記載の発明は、一時貯留部は、底面と、間隔を置いて設置された２側面と、投入口カバーの開口に対向する対向面とを有していて上面側が開放され、投入口カバーの開口端の位置における前記２側面間の間隔よりも、対向面側に離れた位置における前記２側面間の間隔の方が広いことを特徴とする請求項１又は２に記載の破砕装置である。
【００１８】
前記した様に、投入カバーの開口から飛び出した破砕物は、重力によって落下傾向となるから、投入口カバーの開口の高さや、仮想延長線よりも上を飛行することは稀である。しかしながら、水平方向には扇形に拡散する方向に飛行することは有り得る。
本発明の破砕装置では、一時貯留部の幅が投入口カバーの開口よりも先端側が広がっている。そのため飛び出した破砕物が、側面を飛び越える懸念がなく、安全が確保される。
また本発明によると、一時貯留部の側壁を低くできるという利点もある。
即ち、被災地においては、ショベルカーのバケット等で瓦礫を掬い、一時貯留部の上から投入することが想定される。そのためには、ショベルカーのバケットを側壁よりも上に持ち上げる必要があり、一時貯留部の側壁は低い方が、作業性が高い。
【００１９】
請求項４に記載の発明は、一時貯留部の対向面によって前記対向壁が構成され、対向壁の高さは、前記２側面の上縁よりも高いことを特徴とする請求項１乃至３のいずれかに記載の破砕装置である。
【００２０】
本発明の破砕装置は、側面の平均高さが比較的低いので、作業性が高い。
【００２１】
また前述した破砕装置は、移動式破砕装置に適するものであると言える。
即ち前述した特許文献１に開示された破砕装置は、開閉する遮蔽板を採用するものであるから、装置の全高が高い。そこで特許文献１に開示された破砕装置は、ピットの中に主要設備を配置して地上高を下げ、全高が高いという欠点を補っているが、主要設備を台車に搭載することが必要な移動式破砕機では、地上高を下げることができず、使い勝手が悪い。また全高が高いと、被災地に移動させる際にも弊害がある。
これに対して本発明の破砕装置は、地上高を低くすることができるので、台車に搭載し易い。
【００２２】
この観点に基づいて完成された請求項５に記載の発明は、牽引又は自走可能な台車を有し、当該台車上に、破砕機と、一時貯留部とが搭載されていることを特徴とする請求項１乃至４のいずれかに記載の破砕装置である。
【００２３】
本発明の破砕装置は、移動式であるから、任意の場所に移動して破砕作業を行うことができる。
【００２４】
請求項６に記載の発明は、台車は、破砕機と、一時貯留部とを設置する架台を有し、当該架台は車軸の上にあって高さの高い高領域と、車軸の間であって高さの低い低領域があり、破砕機は、低領域に設置され、一時貯留部は高領域に設置されていることを特徴とする請求項１乃至５のいずれかに記載の破砕装置である。
【００２５】
本発明によると、破砕機の設置場所が低いから、破砕機の地上高を下げることができ、被破砕物の投入が容易である。
また一時貯留部の設置位置（地上高）が高いから、破砕機の投入口まで被破砕物を持ち上げるのに要する全長が短くて足る。
【発明の効果】
【００２６】
本発明の破砕装置は、安全性を確保しつつ全高を低く抑えることができる。また強力な破砕機を採用する場合であっても安全性が高い。
【図面の簡単な説明】
【００２７】
【図１】本実施形態の破砕装置を示す斜視図であり、破砕装置が破砕作業を行う際の姿勢を図示している。
【図２】図１の破砕装置を示すものであり、（ａ）は平面図、（ｂ）は側面図である。
【図３】台車を構成部品たる架台を示す平面図である。
【図４】図１の破砕装置に搭載される破砕機を示す斜視図であり、モータ側から見た姿勢である。
【図５】図５の破砕機を排出口側から見た斜視図である。
【図６】図５の破砕機の断面図である。
【図７】一時貯留部及び投入口カバーを牽引車側から観察した斜視図である。
【図８】一時貯留部の平面図である。
【図９】一時貯留部の側面図である。
【図１０】一時貯留部及び投入口カバーの分解斜視図である。
【図１１】一時貯留部を構成する搬送装置を側面視した説明図である。
【図１２】搬出装置を示すものであり、（ａ）はチェーンコンベアの斜視図であり、（ｂ）は搬出装置を側面視した説明図である。
【図１３】破砕装置に搭載される各構成部品のレイアウトを示す平面図である。
【図１４】破砕機と搬入装置との高さの関係を示す側面図である。
【図１５】搬出装置と架台との位置関係を示す平面図であり、（ａ）は搬出装置を二点鎖線で表示して下のレールを実線で表示し、（ｂ）は搬出装置を実線で表示して下のレールを二点鎖線で表示たものである。
【図１６】破砕機に被せられた投入口カバーの各領域を示す側面図である。
【図１７】投入口カバーと一時貯留部との高さの関係を示す側面図である。
【図１８】投入口カバーと一時貯留部の間を瓦礫が飛ぶ様子を説明する側面説明図である。
【図１９】投入口カバーと一時貯留部の間を瓦礫が飛ぶ様子を説明する平面説明図である。
【図２０】搬出装置から延長レールを取り外した状態を示す平面図である。
【図２１】搬出装置の姿勢を変更して架台上に搭載した状態を示す平面図である。
【図２２】搬出装置からダクトカバー等を取り外した状態を示す斜視図である。
【図２３】搬入装置から側面壁等を取り外し、搬送装置の姿勢を変更して架台に直に取り付けた状態を示す側面図である。
【図２４】本実施形態の破砕装置を示す斜視図であり、破砕装置を移動させる際の姿勢を図示している。
【図２５】図２４の姿勢の破砕装置を示すものであり、（ａ）は平面図、（ｂ）は側面図である。
【図２６】前壁（対向壁）の変形例を示す側面図である。
【図２７】投入口カバーの変形例を示す側面視した断面図である。
【図２８】投入口カバーの変形例を示す側面視した断面図である。
【図２９】（ａ），（ｂ）は、投入口カバー変形例を示す斜視図である。
【図３０】投入口カバーの変形例を示す斜視図である。
【図３１】破砕機の投入口と、投入口カバーと、一時貯留部の位置関係を示す断面図である。
【図３２】投入口カバーの変形例と、対向壁との関係を説明する断面図である。
【図３３】投入口カバーの他の変形例と、対向壁との関係を説明する断面図である。
【図３４】破砕機の投入口と、投入口カバーの変形例と、一時貯留部の位置関係を示す断面図である。
【図３５】投入口カバーの変形例と、一時貯留部の関係を示す平面断面図である。
【発明を実施するための形態】
【００２８】
以下さらに本発明の実施形態について説明する。
本実施形態の破砕装置１は、図１の様に、移動式の破砕処理装置であり、台車３上に主要部品が搭載されており、牽引車１３によって牽引される。なお以下の説明において、牽引車１３側を前として説明する。
破砕装置１は、台車３上に、破砕機５、搬入装置６、搬出装置７、電源装置８及び制御盤１０が搭載されたものである。以下順次説明する。
台車３は、図２（ａ），図２（ｂ）の様に、牽引車１３に接続され、牽引車１３側の２軸の車軸１２１と、台車３側の２軸の車軸１２０の合計４軸の車軸によって架台１１を支えるものであり、架台１１は８輪のタイヤ１２によって支えられている。
即ち台車３は、前部領域に連結部９があり、牽引車１３とは結合・分離が可能である。また台車３は、通常の被牽引車と同様に、牽引車１３に対して屈曲することができる。
架台１１の高さは一様ではなく、車軸１２０が設けられた前部領域１５及び後部領域１６は地上高が高い高領域であり、車軸１２０の無い中間領域１７は地上高が低い低領域である。
【００２９】
架台１１は、図３の様に、平面視が長方形であり、４本の主梁（主部材）１８ａ，１８ｂ，１８ｃ，１８ｄと、多数の副梁（補助部材）２０によって構成されている。
４本の主梁１８ａ，１８ｂ，１８ｃ，１８ｄは、いずれも、架台１１の長手方向に配列されている。４本の主梁１８ａ，１８ｂ，１８ｃ，１８ｄの内、両端の主梁１８ａ，１８ｄは、平面視が直線状である。これに対して、中央の主梁１８ｂ，１８ｃは、中間領域１７が屈曲している。即ち中央の主梁１８ｂ，１８ｃは、前部領域１５の全てと、中間領域１７の前半部分では、他の主梁１８ａ，１８ｄと平行である。しかしながら、中央の主梁１８ｂ，１８ｃは、中間領域１７の後半部分では外側に張り出している。また後部領域１６においては、他の主梁１８ａ，１８ｄと平行に配されている。
即ち中央の２本の主梁１８ｂ，１８ｃは、前部領域１５の延長線上に後部領域１６の主梁１８ｂ，ｃがあり、中間領域１７だけが外側に張り出した状態であって、一部に迂回部２１が設けられている。
【００３０】
破砕機５は、図６の様に本体部２２内に破砕刃（破砕機構）２３が設けられたものであり、外部のモータ２８によって破砕刃２３を回転されるものである。
本体部２２は、図４、図５、図６の様に円筒部２５とコーン部２６及び蓋部２７によって構成されている。即ち本体部２２の下部たる円筒部２５は、円筒形をしている。これに続く上部は、漏斗状に開いていてコーン部２６を形成してしいる。蓋部２７は、コーン部２６の上部にあり、全体を塞ぐものである。
本実施形態では、本体部２２の横断面形状は、いずれの高さの部位であっても円形である。
【００３１】
破砕機５の本体部２２には、上部に投入口３０があり、下部に排出口３１が設けられている。即ち投入口３０は、蓋部２７の一部に設けられており、略長方形である。投入口３０の位置は、蓋部２７の周部であり、中心には至っていない。
排出口３１は、円筒部２５に設けられている。
破砕機５を上から平面的に見たとき、図５の様に投入口３０の位置と排出口３１の位置とは直線上にはなく、両者はずれている。即ち投入口３０の中心線と、排出口３１の中心線は交わる。
【００３２】
破砕刃２３は、図６の様に、本体部２２の中心に立設された回転軸３２に、羽根状の刃が多段に設けられたものである。破砕刃２３は、上下の端部近傍が軸受け３３，３５によって支持されている。また回転軸３２にプーリ３６が設けられている。
モータ２８にもプーリ３７が設けられており、二つのプーリ３６，３７の間に動力伝動ベルト３８が懸架されている。
本実施例で採用するモータ２８は、相当に強力であり、重量も大きい。本実施例では、破砕機５のモータ２８は、特定重量物の一つである。
【００３３】
搬入装置６は、図７〜１０の様に、一時貯留部４０と、一時貯留部４０の底部に設けられた搬送装置４１及び投入口カバー４３によって構成されている。
一時貯留部４０は、底面４２を有し、さらに側面壁４５，４６と、前壁（対向壁）４７によって３面が囲まれている。
側面壁４５，４６は、台車３の側面側に設けられた壁である。前壁（対向壁）４７は、牽引車１３側に設けられた壁である。
一時貯留部４０の上面は開放されている。
また一時貯留部４０の後端側（牽引車１３の後尾側）は破砕機５側に至っている。
【００３４】
一時貯留部４０の上部側を上から観察すると、図８の様に、後側（破砕機５側）に比べて前側（牽引車１３側）が広がっている。
即ち一時貯留部４０の後側（破砕機５側）の幅Ｗ１は、台車３の幅の約２分の１であるのに対し、一時貯留部４０の前側（牽引車１３側）の幅Ｗ２は、台車３の幅と略等しい。
一時貯留部４０の上部側を上から観察すると、後側（破砕機５側）の約半分がテーパ状をしていて前に向かうにつれて側面壁４５，４６の間隔が広がっている。一時貯留部４０の前側（牽引車１３側）の約半分は、側面壁４５，４６が平行となっている。
一時貯留部４０の上部側の開き角度ｄは、４５度以上であることが望ましい。また１００度を越えると、テーパ部分の長さが短くなり過ぎるので好ましくない。
従って好ましい開き角度ｄは、６０度から８０度である。本実施形態では、６５度の開き角度を持っている。
【００３５】
一時貯留部４０は、底面４２と、間隔を置いて設置された側面壁４５，４６を有しており、後側（破砕機５側）の２つの側面壁４５，４６の間隔よりも、前側（牽引車１３側）における２つの側面壁４５，４６の間隔の方が広い。
【００３６】
一方、側面壁４５，４６の地上高を見ると、図９の様に、前側（牽引車１３側）に向かう程地上高が低くなっている。即ち側面壁４５，４６の上端面は、前側に向かって下方向に傾斜している。本実施形態では、側面壁４５，４６の後側（破砕機５側）の地上高と、前側（牽引車１３側）の地上高の差は、約５０センチメートルである。両者の差は、３０センチメートルから８０センチメートルであることが望ましい。より望ましい差は、４０センチメートルから６０センチメートルである。
従って前壁（対向壁）４７は、側面壁４５，４６から突出し、地上高の差は約５０センチメートルである。
【００３７】
なお一時貯留部４０は、全体的に傾斜姿勢で架台１１に取り付けられるが、側面壁４５，４６の上端面の傾斜角度は、一時貯留部４０の全体的な傾斜角度とは一致しない。具体的には、側面壁４５，４６の上端面の傾斜角度は、一時貯留部４０の全体的な傾斜角度よりも緩い。
前壁（対向壁）４７の地上高は、側面壁４５，４６の後端の地上高と等しいか僅かに高い。即ち本実施形態では、側面壁４５，４６の上辺は傾斜しており、後端部の地上高が最も高いから、前壁（対向壁）４７の地上高は、側面壁４５，４６のいずれの部位の高さ以上である。従って前壁（対向壁）４７の地上高は、前記した対向壁４５，４６の上縁よりも高い。当然に前壁（対向壁）４７の地上高は、前記した対向壁４５，４６の平均高さよりも高い。
【００３８】
一時貯留部４０の水平方向の断面積を見ると、図８の様に、中間部よりも下方が小さいものとなっている。
即ち側面壁４５，４６及び前壁（対向壁）４７は、いずれも中間部分から下が内側に向かって傾斜しており、上部開口の面積よりも底部の面積の方が小さい。
より具体的に説明すると、図１０の様に、側面壁４５，４６は、傾斜壁部５０と垂直壁部５１によって構成されている。傾斜壁部５０自体の高さは一定である。これに対して垂直壁部５１自体の高さは前に向かう程高くなっている。しかしながら、一時貯留部４０は全体的に傾斜姿勢で取り付けられているので、側面壁４５，４６の上辺は前に向かう程低くなっている。
前壁（対向壁）４７についても、傾斜壁部５３と垂直壁部５５によって構成されている。
【００３９】
一時貯留部４０の底には搬送装置４１が設けられている。即ちコンベアフレーム８５の上に前記した一時貯留部４０の傾斜壁部５３が設置されており、搬送装置４１が一時貯留部４０の底を構成している。
搬送装置４１は具体的にはチェーンコンベアである。
搬送装置４１は、図１１の様に、平行に配された板で構成されたコンベアフレーム８５を有し、当該コンベアフレーム８５の内側に駆動スプロケット８６と、従動スプロケット８７が設けられている。そして二つのスプロケット８６，８７にコンベアチェーン８９が掛け渡されている。
本実施形態では、搬送装置４１を駆動するモータ８８が駆動スプロケット８６の下にあり、図示しないチェーンによってモータ８８の回転力が駆動スプロケット８６に伝動される。
より詳細に説明すると、コンベアフレーム８５の下であって駆動スプロケット８６側の位置に、鋼材で作られた枠９０があり、当該枠９０にモータ８８が保持されている。
【００４０】
投入口カバー４３は、図１０の様に側面形状が「Ｌ」形の箱であり、内部に「Ｌ」状の空間がある。即ち投入口カバー４３は、図１０の様に、天板（天井面）５６と、左右のＬ形側板（側面）５７ａ，５７ｂと後面板５８とを有するカバーである。投入口カバー４３は、前側（牽引車１３側）に、開口１０３（開口端）を有している。
投入口カバー４３は、前記した様に側面形状が「Ｌ」形であり、前方向の下部に切り欠き部８３がある。
【００４１】
次に搬出装置７について説明する。
搬出装置７は、図１２（ａ），図１２（ｂ）の様に、チェーンコンベア６５を主体とするものである。チェーンコンベア６５は、平行に設けられた板によって構成されたコンベアフレーム５９を有し、当該コンベアフレーム５９の内側に駆動スプロケット６７と、従動スプロケット６８が設けられている。そして二つのスプロケット６７，６８に、コンベアチェーン６６が掛け渡されている。
本実施形態では、チェーンコンベア６５を駆動するモータ７０が駆動スプロケット６７の下にあり、図示しないチェーンによってモータ７０の回転力が駆動スプロケット６７に伝動される。
より詳細に説明すると、コンベアフレーム５９の下であって駆動スプロケット６７側の位置に、鋼材で作られた枠があり、当該枠７１にモータ７０が保持されている。
【００４２】
またコンベアフレーム５９の下であって従動スプロケット６８の位置には、図１２（ｂ）の様に一本の垂直ピン７２が垂直下向きに突出している。
【００４３】
チェーンコンベア６５のコンベアフレーム５９の上面が排出用カバー６０と、ダクトカバー６１及びヘッドカバー６２によって覆われている。ダクトカバー６１には集塵機（図示せず）を取り付けるための取り付け口６３が設けられている。
【００４４】
電源装置８は、公知のそれと何ら変わるものではなく、図示しないガソリンエンジンによって図示しない発電機を回し、電気を発生させる。ただし本実施例で採用する電源装置８は、大容量であって重量も大きい。本実施例では、電源装置８は、特定重量物の一つである。
電源装置８の図示しない発電機は、筐体１３４の後半部分にあり、図示しないガソリンエンジンは、筐体１３４の前半部分にある。また筐体１３４の上には、排気ガスを浄化するための触媒装置１３２とエンジンを冷却する冷却ファン１３３が設置されている。
【００４５】
次に、各機器の配置レイアウトについて説明する。配置レイアウトの説明に際し架台１１の領域を説明する。架台１１の長さ方向については、図１３の様に、牽引車１３側を前とし、前記した様に牽引車１３側の車軸１２１の上であって高さの高い前部領域１５と、車軸１２０，１２１が無く高さの低い中間領域１７と、後側の車軸１２０の上であって高さの高い後部領域１６に分けられる。
また幅方向には、中心線７３を境として、前方に向かって右半分を右側領域７５と定義し、左半分を左側領域７６と定義する。
【００４６】
本実施形態の破砕装置１では、架台１１の中心部に破砕機５が設置されている。即ち架台１１の長さ方向の中間領域１７であって、幅方向には中心線７３上に破砕機５がある。特に本体部２２の重心は、架台１１の中心線７３上にある。破砕機５の姿勢は、図１３の通りであり、投入口３０が幅方向の中心線７３上であって、前側の位置に開口している。
一方、排出口３１は、右側領域７５に開口している。
破砕機５を駆動するモータ２８は、長手方向には前方寄りであって、幅方向には左側領域７６にある。即ち特定重量物たるモータ２８は、長手方向には前方寄りであって、幅方向には左側領域７６にあり、その重心は、左側領域７６にある。
【００４７】
投入口カバー４３は、破砕機５の投入口３０の上に被さり、前方（牽引車１３側）に向かって開口している。
【００４８】
搬入装置６は、架台１１の長さ方向の前部領域１５であって、幅方向には中心線７３上にある。その重心も中心線７３上にある。
【００４９】
搬出装置７は、従動スプロケット６８側が架台１１の長さ方向の中間領域１７にある。一方、搬出装置７の駆動スプロケット６７は、架台１１の長さ方向の後部領域１６にある。
搬出装置７は、幅方向には右側領域７５に格納される。そのためその重心右側領域７５にある。
破砕作業を行う場合には、後記する様に、駆動スプロケット６７側が右側領域７５から外に張り出す。
【００５０】
電源装置８は、架台１１の長さ方向の後部領域１６であって左側領域７６にある。即ち特定重量物たる電源装置８は、後部領域１６であって左側領域７６にあり、その重心は後部領域１６であって左側領域７６にある。
制御盤１０は、破砕機５や搬入装置６、搬出装置７その他を制御する装置や、電源装置８の電圧を制御する装置である。制御盤１０は、架台１１の長さ方向の最後尾であって右側領域７５にある。従ってその重心は、右側領域７５にある。
【００５１】
次に、各部材の架台１１に対する取り付け構造等について説明する。
搬入装置６は、図１４の様に、架台１１の前部領域１５にあり、前端近傍の底部分が、水平ピン８０を介して架台１１の前部領域１５であって前端近傍に取り付けられている。より詳細には、架台１１の上に直線レール１３６が設けられ、その上にスライダー１３５が設けられている。そして当該スライダー１３５に対して水平ピン８０が取り付けられ、この水平ピン８０を介して架台１１の前部領域１５であって前端近傍に取り付けられている。
従って、搬入装置６は、水平ピン８０を中心として、上下方向に揺動可能である。
一方、搬入装置６の後端部分は、脚部材８１を介して架台１１の前部領域１５であって後端近傍に取り付けられている。即ち搬入装置６の後端部分は、脚部材８１によって高さが嵩上げされ、全体として傾斜姿勢となっている。
より詳細には、枠９０の下に脚部材８１があり、駆動スプロケット８５側が持ち上げられている。そして搬入装置６の後端部側が、破砕機５の蓋部２７よりも上部にある。搬入装置６の後端部側は、投入口カバー４３の切り欠き部８３に接続されている。
【００５２】
搬出装置７は、図１５（ａ）の様に、前端部が前記した垂直ピン７２を介して架台１１に取り付けられている。そのため搬出装置７は、垂直ピン７２を中心として、水平方向に揺動可能である。
また本実施形態では、垂直ピン７２の取り付け位置は、架台１１の主梁１８ｂ，１８ｃが曲げられて形成された迂回部２１である。そのため垂直ピン７２を架台１１の下に埋め込むことができ、搬出装置７の全高を低くすることができる。即ち主梁１８ｂ，１８ｃを曲げることによって迂回部２１を作り、垂直ピン７２が主梁１８ｂ，１８ｃに当たらない様にすることにより、架台１１の剛性を確保すると共に搬出装置７の全高を低くすることができる。
【００５３】
また搬出装置７の後端側は、レール９１を介して架台１１に取り付けられている。本実施形態では、レール９１は、図１５の様に本体レール９２と、延長レール９３によって構成されている。
本体レール９２は、予め架台１１上に取り付けられたものであり、その端面は、架台１１の側面と略一致する。
延長レール９３は、図示しないネジによって本体レール９２の端面に取り付けられるものであり、架台１１から横方向に張り出す。
【００５４】
破砕作業時においては、延長レール９３が取り付けられ、後記する様に搬出装置７が垂直ピン７２を中心として揺動され、延長レール９３の上に搬出装置７の一部たる枠７１が配置される。
従って、図１５（ｂ）の様に、搬出装置７の中心線１１２は、架台１１の中心線７３に対して傾斜し、搬出装置７の駆動スプロケット側６７が架台１１からはみ出る。またこの姿勢の際には、搬出装置７の従動スプロケット側６８は破砕機５の排出口３１の近傍にある。
【００５５】
重量の大きいモータ７０は、駆動スプロケット側６７に接近させるため、架台１１の後方寄りに配置されており、作業時には搬出装置７をピン７２を中心として揺動させ、モータ７０を架台１１からはみ出させる。搬出装置７の重心は、作業時には、走行時に比べて架台１１の中心線７３より遠のいている。
【００５６】
次に本実施形態の破砕装置１の特徴的構成とその機能について説明する。
本実施形態の破砕装置１は、搬入装置６と破砕機５、及び投入口カバー４３の位置関係に特徴がある。
本実施形態では、投入口カバー４３は、前記した様に破砕機５の投入口３０の上に被さり、前方に向かって開口している。
ここで、投入口カバー４３の天板（天井面）５６は、図１６、図１８の様に、破砕機５の投入口３０よりも前後方向に長い。より具体的には、図１６の様に、破砕機５の投入口３０の前端３０ａを基準とし、前端３０ａを通過する垂直線（仮想線）Ａよりも前方に延出されている。
そのため投入口カバー４３は、破砕機５の投入口３０の上部に位置する投入口領域１００と投入口３０の上部よりも一時貯留部４０側に突出する突出領域１０１がある。そのため投入口カバー４３の開口（開口端）１０３の位置は、破砕機５の投入口３０から一時貯留部４０側に外れた位置にある。本実施形態では、突出領域１０１の長さは、投入口領域１００の長さよりも長い。
【００５７】
突出領域１０１の長さは、投入口領域１００の長さの５０パーセント以上であることが望ましく、８０パーセント以上であることがさらに推奨される。
また突出領域１０１の長さは、図３１の様に、破砕機５の投入口３０の後端３０ｂと、投入口３０の上部にあって、投入口３０側に最も突出した部位１３７とを結ぶ直線（仮想線）をＬとし、仮想線Ｌ以上に突出していることが推奨される。
本実施形態では、搬送装置４１の後端が最も突出した部位１３７であるから、突出領域１０１の一時貯留部４０側の縁１０１ａは、破砕機５の投入口３０の後端３０ｂと、搬送装置４１の後端とを結ぶ仮想線Ｌを越えて前側に突出している。
【００５８】
本実施形態では、投入口カバー４３の天面（天井面）５６が、破砕機５の投入口３０の後端３０ｂと、搬送装置４１の後端とを結ぶ仮想線Ｌを越えて前側に突出しているから、投入口３０から飛び出した瓦礫２００は、投入口カバー４３の天井面のいずれかか、或いは投入口カバー４３の左右のＬ形側板（側面）５７ａ，５７ｂに衝突する。即ち瓦礫２００の突出口は、破砕機５の投入口３０に限定される。そして破砕機５の投入口３０から垂直に飛び出した瓦礫は、投入口カバー４３の投入口領域１００と衝突する。
一方、破砕機５の投入口３０から斜め前方の飛び出した瓦礫２００の内、飛び出し角度が低いものは、搬送装置４１の後端と衝突することとなる。そのため、破砕機５の投入口３０から斜め前方の飛び出し、且つ搬送装置４１の後端をすり抜けることができる限界の飛行ラインは仮想線Ｌであり、本実施形態で採用する投入口カバー４３は、仮想線Ｌを越えて前側に突出している。
【００５９】
そのため本実施形態の構成によると、投入口３０から飛び出した瓦礫２００は、投入口カバー４３の天井面のいずれかか、或いは投入口カバー４３の左右のＬ形側板（側面）５７ａ，５７ｂに衝突する。そしてその多くは、そのまま落下し、勢いのあるものは、投入口カバー４３の開口（開口端）１０３から搬入装置６側に向かって飛び出す。そして後記する様に前壁（対向壁）４７等と衝突して搬入装置６内に落下し、再度搬入装置６で運搬されて破砕機５の投入口３０に投入される。
【００６０】
投入口カバー４３は、図１７の様に、天板５６と左右のＬ形側板５７ａ，５７ｂ及び後面板５８によって構成されているから、図１８の様に一時貯留部４０側は開放されている。そして本実施形態では、図１８の様に投入口カバー４３の開口１０３に対向する位置に、一時貯留部４０の前壁（対向壁）４７がある。そして、前壁（対向壁）４７の地上高Ｈａは、一時貯留部４０の側面壁４５，４６よりも高く、投入口カバー４３の開口１０３の最も高い部分の高さＨｂよりも僅かに高い。より具体的には、投入口カバー４３の開口１０３の最も高い部分Ａより１センチメートルから１０センチメートル程度高い。
【００６１】
本実施形態の破砕装置１は、瓦礫を処理することを目的として開発されたものであり、ショベル等で瓦礫をすくって、一時貯留部４０の上部の開口から投入することを想定している。即ち、架台１１の横方向に図示しないショベルカーを移動し、バケットを差し上げて一時貯留部４０の側面壁４５，４６側から投入する。ここで、一時貯留部４０の側面壁４５，４６は上面が傾斜しており、地上高が低い。そのためバケットを差し上げる高さが軽減されて作業性が高い。
【００６２】
そして一時貯留部４０の底に設けられた搬送装置４１で、瓦礫を斜め上方に移動し、投入口カバー４３の開口１０３の部分を経て破砕機５の投入口３０から本体部２２に瓦礫を投入する。即ち搬送装置４１で、水平方向成分を含む方向に搬送して破砕機５の投入口３０から瓦礫を投入する。
一方、本体部２２内では、破砕刃２３が高速で回転しており、破砕刃２３に当たって瓦礫が粉砕される。そして粉砕された瓦礫は、排出口３１から排出され、搬出装置７で架台１１の外に運び出される。
【００６３】
ここで、本実施形態で採用する破砕機５は、破砕機構が強力で、破砕刃２３が高速で回転するから、瓦礫が破砕刃２３に当たったときに、瓦礫２００の破片が投入口３０から飛び出す場合がある。また、瓦礫２００の中にボンベやスプレー缶が混じっていて、これらが爆発し、爆風に乗って瓦礫の破片が投入口３０から飛び出す場合もある。
【００６４】
投入口３０から飛び出した瓦礫２００は、図１８の様に投入口カバー４３の天板５６に当たる。ここで、本実施形態では、天板５６の長さが破砕機５の投入口３０よりも長いから、飛び出した瓦礫２００は、図１８の様に方向を水平方向に代え、天板５６と平行に飛ぶ。また本実施形態で採用する投入口カバー４３は、投入口３０の上部よりも一時貯留部４０側に突出する突出領域１０１が長いから、突出領域１０１があたかも助走路の様に機能し、上昇方向のベクトルが消失して図１８様に水平方向または下向きに傾斜して進む。
その結果、飛び出した瓦礫は、投入口カバー４３の開口１０３から略水平方向に飛び出す。
ここで本実施形態では、投入口カバー４３の開口１０３に対向する位置に、一時貯留部４０の前壁（対向壁）４７があり、当該前壁４７の地上高Ｈａは、投入口カバー４３の開口１０３の最も高い部分Ｈｂよりも高い。そのため投入口カバー４３の開口１０３から水平方向に飛び出した瓦礫２００は、一時貯留部４０の前壁（対向壁）４７と衝突して速度を失い、落下する。
【００６５】
また図１９に示すように、投入口カバー４３の開口１０３から、斜め方向に向かって瓦礫２００が飛び出すこともあるが、実施形態では、一時貯留部４０が一定の開き角度をもっているから、例え瓦礫２００が斜め方向に突出しても一時貯留部４０の側面壁４５，４６で捕捉することができる。
なお、一時貯留部４０が一定の開き角度をもっているから、一時貯留部４０の側面壁４５，４６の高さを低くすることができたとも言える。
また飛び出した瓦礫２００は、次第に落下して行くから、本実施形態はこれに合わせて側面壁４５，４６の上面を傾斜させている。
【００６６】
前壁（対向壁）４７の高さは、高いほど安全であると言えるが、無闇に高いと、瓦礫を投入する際に邪魔である。前壁（対向壁）４７の高さ（地上高）の下限は、投入口カバーの開口の高さである。また上限は、制限が無いが、投入口カバー４３の開口１０３の地上高に対してプラス２０センチメートル程度である。
【００６７】
次に、破砕装置１を移動する際の態様について説明する。
本実施形態の破砕装置１は、牽引車１３に引かれて走行するが、走行時には、全高及び全幅を小さくすることができる。
即ち破砕装置１を走行させる場合には、図２０の様に、延長レール９３を取り外し、図２１の様に、垂直ピン７２を中心として搬出装置７を揺動し、搬出装置７の全ての部分を架台１１に乗せる。より具体的には垂直ピン７２を中心として搬出装置７を揺動し、搬出装置７の車両後方側（枠７１）を架台１１に乗せる。
ここで、本実施形態では、制御盤１０が、長さ方向の最後尾であって右側領域７５に設けられており、搬出装置７の後端部は、制御盤１０の近傍に来る。即ち搬出装置７は、破砕機５と制御盤１０との間に納まる。
また破砕装置１を走行させる場合には、図２２の様に、搬出装置７の附属品たる排出用カバー６０と、ダクトカバー６１及びヘッドカバー６２を外す。
【００６８】
また搬入装置６の後端部を支持する脚部材８１を取り外すと共に、水平ピン８０を介して一時貯留部４０を下方向に揺動し、枠９０を直接架台１１に固定することによって全高（地上高）を下げる。
このとき搬入装置６をスライダー１３５ごと前方にスライド移動させて逃がし、上下に揺動させる際に搬入装置６が破砕機５（コーン部２６や蓋部２７）と干渉することを防ぐ。
さらに破砕装置１を走行させる場合には、図２３の様に、一時貯留部４０の大部分を取り外す。具体的には、一時貯留部４０の、側面壁４５，４６と、前壁（対向壁）４７を図示しない固定用ボルトを外すことによって外す。
また投入口カバー４３についても取り外す。
【００６９】
この様に、走行時には、図２４，図２５（ａ），図２５（ｂ）の様に、搬出装置７を架台１１に収容し、さらに高さの高い部材を取り外すので、走行中に他の車両を傷つけたり、高架に衝突することがない。
また本実施形態の破砕装置１は、機器のレイアウトが工夫されており、走行時の安定性が高い。
即ち、本実施形態では、破砕装置１及び搬入装置６が架台１１の幅方向中心にあり、破砕装置１及び搬入装置６が左右の重量バランスを崩すことはない。
また特定重量物たる、破砕機５のモータ２８と電源装置８が架台１１の幅方向の一方に偏心した位置に配置され、搬出装置７は他方に偏心した位置に配置されている。そのため特定重量物と搬出装置７によって左右の重量バランスが確保されている。
そのため、破砕装置１は、走行時の直進安定性に優れる。
【００７０】
また本実施例対では、搬出装置７を偏心した位置に配置したので、搬出装置７の全長を短くできるという副時的な効果がある。
即ち搬出装置７は、破砕物を架台１１の脇に搬出するものである。ここで、本実施形態では、破砕機５の排出口３１を右側に寄せた位置に設けた。そのため排出口３１の位置が、架台１１の辺（右端の主梁１８ａ）に近づき、搬出装置７の全長を短くすることができる。
【００７１】
以上説明した実施形態では、前壁（対向壁）４７の突出部分を垂直姿勢としたが、図２６の様に、投入口カバー４３の開口１０３側に傾斜した傾斜姿勢であってもよい。この場合であっても前壁（対向壁）４７の地上高は、投入口カバー４３の開口１０３の高さ以上にする。
同様に、側面壁４５，４６の上端についても、内側に傾斜し、一時貯留部４０の上部の開口が窄んだものであってもよい。
【００７２】
また投入口カバー４３の開口端は、水平であることが望ましいが、瓦礫を受入れ易いように、図２７に示す投入口カバー１３０の様に、拡径していてもよい。
逆に、飛び出した瓦礫を捕捉しやすい様に、図２８の投入口カバー１３１の様に、開口１０３が窄まっていてもよい。
【００７３】
前述した実施形態の様に、投入口カバー４３の開口端が水平であり、且つ天面が水平である場合には、開口端の高さが、突出領域の平均高さであるから、投入口カバー４３の開口端の高さを基準として前壁（対向壁）４７の高さを設計する。
図２７に示す投入口カバー１３０や、図２８に示す投入口カバー１３１の様に、開口１０３の形状が他の天井部と異なる場合には、突出領域の平均高を別途計算する必要がある。
【００７４】
即ち前壁（対向壁）４７の高さを、投入口カバー１３１の突出領域１０１の高さ以上の高さに設計する。
【００７５】
またもう一つの考えとして、投入口カバーの天板（天井面）５６の傾斜角度に基づいて前壁（対向壁）４７の高さを決定してもよい。
例えば、図３２に示す投入口カバー１４０の様に天板（天井面）１４１が全体的に上方に向かって開く方向に傾斜している場合、天板（天井面）１４１の突出領域１０１の上縁を当該上縁に沿って仮想的に延長した線Ｂを想定する。そして前壁（対向壁）４７の高さは、その上辺が線Ｂ以上となる様に設計する。即ち前壁（対向壁）４７が、突出領域の上縁を当該上縁に沿って仮想的に延長した線Ｂと交差する様に設計する。
【００７６】
投入口３０から飛び出した瓦礫２００は、投入口カバー１４０の天板（天井面）１４１を助走路として飛び出し、仮想線Ｂに沿って飛ぶ可能性があるが、仮想線Ｂと交差する高さに前壁（対向壁）４７が設けられているから、瓦礫２００は、前壁（対向壁）４７と衝突して落下する。
【００７７】
投入口カバー１４０の様に天板（天井面）１４１が全体的に上方に向かって開く方向に傾斜し、仮想線Ｂが上向きに傾斜している場合は、前壁（対向壁）４７は投入口カバー１４０側に向かって傾斜させることが望ましい。即ち前壁（対向壁）４７が垂直姿勢であるならば、瓦礫２００が衝突した際に上方向の分力が生じ、瓦礫２００が前壁（対向壁）４７を飛び越えてしまう懸念がある。そのため、仮想線Ｂと前壁（対向壁）４７との成す下向きの角度Ｄが、９０度以上となる様に前壁（対向壁）４７を傾斜させることが推奨される。
【００７８】
また前記した図１６、図３１の飛行理論の軌跡に従うと、投入口３０から飛び出した瓦礫２００は、投入口カバー１４０の天板（天井面）１４１の内、仮想線Ｌよりも前方側の部分と衝突することは稀である。
そのため、例えば図３２に示す投入口カバー１４５の様に天板（天井面）１４６の傾斜角度が複数回に渡って変化している場合は、仮想線Ｌよりも投入口３０側の突出領域の傾斜を重視し、この延長線Ｃと交差する様に前壁（対向壁）４７を設けてもよい。
この場合には、前壁（対向壁）４７の高さが投入口カバー１４５の開口端１０３の地上高よりも低くなる場合がある。
この場合においても、仮想線Ｂと前壁（対向壁）４７との成す下向きの角度Ｄが、９０度以上となる様に前壁（対向壁）４７を設計することが推奨される。
【００７９】
逆に図３３に示す投入口カバー１５０の様に天板（天井面）１５１が全体的に下方に向かって窄む方向に傾斜している場合や、段階的に傾斜して窄んでいる場合についても、仮想線Ｂや仮想線Ｃと交差する高さに前壁（対向壁）４７を設けることが考えられる。この場合には、前壁（対向壁）４７の高さは、投入口カバー１５０の開口端の高さよりも低くなる場合がある。
【００８０】
また図２９（ａ）、図２９（ｂ）の様に、開口端の形が他の部位と異なる場合についても、高さの平均を計算し、その値を基準として前壁（対向壁）４７の高さを設計する。
図３０の様に、投入口カバー４３が、円弧状である場合には、最も高い位置を基準として前壁（対向壁）４７の高さを設計することが推奨される。
【００８１】
もちろん、開口端の形状や、天井板の形状に係わらず、投入口カバー４３の内面の最も高い位置を基準とし、この基準高さよりも高い高さに前壁（対向壁）４７の高さを設計してもよい。
【００８２】
また開口端の最も高い位置を基準とし、この基準高さよりも高い高さに前壁（対向壁）４７の高さを設計してもよい。
【００８３】
上記した変形例で説明した理論は、瓦礫２００の水平方向の飛行経路にも応用できる。即ち前述した実施形態では、投入口カバー４３の左右のＬ形側板（側面）５７ａ，５７ｂは平行であったが、図３５の様に角度をもったものであってもよい。
この場合、瓦礫２００は、左右のＬ形側板（側面）５７ａ，５７ｂを助走路として、Ｌ形側板（側面）５７ａ，５７ｂの延長線Ｃに沿って飛ぶと予想される。そのため図３５の様に、一時貯留部４０は、側面壁４５，４６を延長線Ｅに沿って設けるか、あるいは延長線Ｅの外側に設けることにより、一時貯留部４０から瓦礫２００が飛び出ることを防止することができる。
簡易的には、投入口カバー４３の開口端１０３のＷ３が、一時貯留部４０の前側（牽引車１３側）の幅Ｗ２よりも狭くすることにより、一時貯留部４０から瓦礫２００が飛び出ることを防止することができ、側面壁４５，４６の高さを低くすることができる。
【００８４】
なお、左右のＬ形側板（側面）５７ａ，５７ｂが、開口１０３に向かって窄んでいる場合も、延長線Ｅと前壁（対向壁）４７とを交差させれはよく、この場合には、投入口カバー４３の開口端１０３のＷ３よりも前壁（対向壁）４７の幅Ｗ２の方が狭くなる場合がある。
【００８５】
上記した実施形態で採用した破砕機５は、回転軸３２が垂直姿勢に配置された縦型破砕機であるが、回転軸を水平姿勢に配置したものであってもよい。また複数の軸を持ったものであってもよい。
本発明は、移動式の破砕装置として好適であるが、固定式の破砕装置に本発明を適用することもできる。
【００８６】
上記した実施形態では、側面壁４５，４６の上端を傾斜させ、前に向かって次第に地上高が低くなる様に設計したが、側面壁４５，４６の高さを段階的に変化させてもよい。また側面壁４５，４６の地上高を一定の高さにしてもよい。
【００８７】
上記した実施形態は、牽引車１３で牽引されるものであるが、独自の動力源を持っていて自走するものであってもよい。
【００８８】
上記した実施例で示したレイアウトでは、一時貯留部４０が前方側にあり、排出用コンベア６５が後方にあるが、逆に排出用コンベア６５が前方側にあり、一時貯留部４０が後方に設けられていてもよい。
同様に各配置の左右が入れ代わっていてもよい。
具体的には、上記した実施形態では、左側に特定重量物があり、右側に搬出装置７を配置したが、これが逆であってもよい。
また特定重量物たる電源装置８と破砕機５のモータ２８とを一方側に配置し、搬出装置７をその反対側に寄せて配置したが、重量比率を勘案して、電源装置８又は破砕機５の一方だけを搬出装置７とは異なる側に配置してもよい。即ち特定重量物の少なくとも一つが搬出装置７とは反対の側に配置されておればよい。
また上記した実施形態の破砕装置１は、モータ２８によって破砕刃２３を回転させるものであるが、エンジンの動力を直接伝動して破砕刃２３を回転させるものであってもよい。この場合、エンジンが特定重量物となる。
【符号の説明】
【００８９】
１    破砕装置
３    台車
５    破砕機
６    搬入装置
７    搬出装置
１１    架台
１５    前部領域（高領域）
１７    中間領域（低領域）
２２    本体部
２３    破砕刃（破砕機構）
３０    投入口
３１    排出口
４０    一時貯留部
４１    搬送装置
４２    底面（底部）
４３    投入口カバー
４５，４６    側面壁
４７    前壁（対向壁）
５６    天板（天井面）
５７ａ，５７ｂ    Ｌ形側板
８５    コンベアフレーム（２側面）
１００    投入口領域
１０１    突出領域
１０３    開口（開口端）
１２０    車軸
１３０    投入口カバー
１３１    投入口カバー
【図１】
2014147905.tif 000003
【図２】
2014147905.tif 000004
【図３】
2014147905.tif 000005
【図４】
2014147905.tif 000006
【図５】
2014147905.tif 000007
【図６】
2014147905.tif 000008
【図７】
2014147905.tif 000009
【図８】
2014147905.tif 000010
【図９】
2014147905.tif 000011
【図１０】
2014147905.tif 000012
【図１１】
2014147905.tif 000013
【図１２】
2014147905.tif 000014
【図１３】
2014147905.tif 000015
【図１４】
2014147905.tif 000016
【図１５】
2014147905.tif 000017
【図１６】
2014147905.tif 000018
【図１７】
2014147905.tif 000019
【図１８】
2014147905.tif 000020
【図１９】
2014147905.tif 000021
【図２０】
2014147905.tif 000022
【図２１】
2014147905.tif 000023
【図２２】
2014147905.tif 000024
【図２３】
2014147905.tif 000025
【図２４】
2014147905.tif 000026
【図２５】
2014147905.tif 000027
【図２６】
2014147905.tif 000028
【図２７】
2014147905.tif 000029
【図２８】
2014147905.tif 000030
【図２９】
2014147905.tif 000031
【図３０】
2014147905.tif 000032
【図３１】
2014147905.tif 000033
【図３２】
2014147905.tif 000034
【図３３】
2014147905.tif 000035
【図３４】
2014147905.tif 000036
【図３５】
2014147905.tif 000037